(57)【要約】【課題】測定物のアンバランス量の測定精度の低下を抑制できるアンバランス測定装置を提供する。【解決手段】アンバランス測定装置１１は、測定物１３が載置される測定台１４と、測定台１４上に載置される測定物１３に形成された貫通孔１３ａに挿入されて測定物１３の位置決めを行う円筒状のポスト１５と、測定台１４上に載置された測定物１３のアンバランス量を測定物１３の重量に基づいて測定する測定部１２とを備えている。ポスト１５の中心軸線は測定部１２の中心軸線Ｂと一致しており、ポスト１５には複数のスリット１６が周方向に間隔を置いて形成されている。貫通孔１３ａの形状の最小二乗円の中心軸線は測定物１３の中心軸線Ａと一致している。そして、ポスト１５は径方向の外側に変位可能に構成されている。【選択図】図６
2020134437.tif 000002
【特許請求の範囲】
【請求項１】
測定物が載置される測定台と、
前記測定台上に載置される測定物に形成された挿入部に挿入されて前記測定物の位置決めを行う円筒状のポストと、
前記測定台上に載置された前記測定物のアンバランス量を前記測定物の重量に基づいて測定する測定部と、
を備えたアンバランス測定装置であって、
前記ポストの中心軸線は、前記測定部の中心軸線と一致しており、
前記ポストには、複数のスリットが周方向に間隔を置いて形成され、
前記挿入部の形状の最小二乗円の中心軸線は、前記測定物の中心軸線と一致しており、
前記ポストは、径方向の外側に変位可能に構成されていることを特徴とするアンバランス測定装置。
【請求項２】
前記ポストには、複数の前記スリットが周方向に等間隔となるように形成されていることを特徴とする請求項１に記載のアンバランス測定装置。
【請求項３】
前記ポストは、弾性変形可能な材料によって構成されていることを特徴とする請求項２に記載のアンバランス測定装置。
【請求項４】
測定物が載置される測定台と、
前記測定台上に載置される測定物に形成された挿入部に挿入されて前記測定物の位置決めを行う筒状のポストと、
前記測定台上に載置された前記測定物のアンバランス量を前記測定物の重量に基づいて測定する測定部と、
を備えたアンバランス測定装置であって、
前記ポストの断面形状の最小二乗円の中心軸線は、前記測定部の中心軸線と一致しており、
前記ポストには、複数のスリットが周方向に間隔を置いて形成され、
前記挿入部の形状は、前記ポストの断面形状と相似であり、
前記挿入部の形状の最小二乗円の中心軸線は、前記測定物の中心軸線と一致しており、
前記ポストは、外側に変位可能に構成されていることを特徴とするアンバランス測定装置。
【発明の詳細な説明】
【技術分野】
【０００１】
本発明は、測定物のアンバランス量を測定するアンバランス測定装置に関する。
【背景技術】
【０００２】
従来、この種のアンバランス測定装置として例えば特許文献１に示す釣合い試験機が知られている。この釣合い試験機は、試験体（測定物）における鉛直方向の測定軸まわりの不釣り合い量（アンバランス量）を測定する重力式の釣合い試験機である。釣合い試験機は、測定時に試験体が載置される試験台と、試験台を測定軸から均等距離且つ均等荷重で支持するとともに測定軸まわりに等間隔に配置された３つのロードセルと、制御部とを備えている。そして、制御部は、試験台に試験体が載置された状態で、各ロードセルにて検出された荷重から試験体の測定軸まわりの不釣り合いの角度及び質量を演算するようになっている。
【先行技術文献】
【特許文献】
【０００３】
【特許文献１】特開２００５−２０７８７４号公報
【発明の概要】
【発明が解決しようとする課題】
【０００４】
ところで、上述のような釣合い試験機では、測定時に単に試験体を試験台上に載置しているだけなので、試験台の中心軸と試験体の測定軸とを正確に一致させることが困難である。このため、試験台の中心軸と試験体の測定軸とのずれにより、釣合い試験機による試験体の測定軸まわりの不釣り合い量の測定精度が低下してしまうという問題がある。
【０００５】
本発明は、このような従来技術に存在する問題点に着目してなされた。その目的は、測定物のアンバランス量の測定精度の低下を抑制できるアンバランス測定装置を提供することにある。
【課題を解決するための手段】
【０００６】
以下、上記課題を解決するための手段及びその作用効果について記載する。
上記課題を解決するアンバランス測定装置は、測定物が載置される測定台と、前記測定台上に載置される測定物に形成された挿入部に挿入されて前記測定物の位置決めを行う円筒状のポストと、前記測定台上に載置された前記測定物のアンバランス量を前記測定物の重量に基づいて測定する測定部と、を備えたアンバランス測定装置であって、前記ポストの中心軸線は、前記測定部の中心軸線と一致しており、前記ポストには、複数のスリットが周方向に間隔を置いて形成され、前記挿入部の形状の最小二乗円の中心軸線は、前記測定物の中心軸線と一致しており、前記ポストは、径方向の外側に変位可能に構成されていることを要旨とする。
【０００７】
この構成によれば、測定物の挿入部にポストを挿入した状態でポストを径方向の外側に変位させると、ポストが挿入部の内側から測定物を押圧するため、ポストの中心軸線（測定部の中心軸線）と挿入部の形状の最小二乗円の中心軸線（測定物の中心軸線）とのずれを低減できる。このため、測定物の挿入部の形状に拘わらず、測定物のアンバランス量の測定精度の低下を抑制できる。
【０００８】
上記課題を解決するアンバランス測定装置は、測定物が載置される測定台と、前記測定台上に載置される測定物に形成された挿入部に挿入されて前記測定物の位置決めを行う筒状のポストと、前記測定台上に載置された前記測定物のアンバランス量を前記測定物の重量に基づいて測定する測定部と、を備えたアンバランス測定装置であって、前記ポストの断面形状の最小二乗円の中心軸線は、前記測定部の中心軸線と一致しており、前記ポストには、複数のスリットが周方向に間隔を置いて形成され、前記挿入部の形状は、前記ポストの断面形状と相似であり、前記挿入部の形状の最小二乗円の中心軸線は、前記測定物の中心軸線と一致しており、前記ポストは、外側に変位可能に構成されていることを要旨とする。
【０００９】
この構成によれば、測定物の挿入部にポストを挿入した状態でポストを外側に変位させると、ポストが挿入部の内側から測定物を押圧するため、ポストの断面形状の最小二乗円の中心軸線（測定部の中心軸線）と挿入部の形状の最小二乗円の中心軸線（測定物の中心軸線）とのずれを低減できる。このため、測定物のアンバランス量の測定精度の低下を抑制できる。
【発明の効果】
【００１０】
本発明によれば、測定物のアンバランス量の測定精度の低下を抑制できる。
【図面の簡単な説明】
【００１１】
【図１】第１実施形態のアンバランス測定装置の側面図。
【図２】図１の平面図。
【図３】図２の３−３線矢視断面図。
【図４】測定台上に測定物を載置したときの状態を示す断面図。
【図５】図４においてポストに治具を挿入したときの状態を示す断面図。
【図６】図５においてポストから治具を引き抜いたときの状態を示す断面図。
【図７】第２実施形態のアンバランス測定装置の平面図。
【図８】図７の８−８線矢視断面図。
【図９】アンバランス測定装置の斜視図。
【図１０】測定台上に測定物を載置したときの状態を示す断面図。
【図１１】図１０において分割ポスト同士を離したときの状態を示す断面図。
【図１２】図１１において分割ポスト同士を接触させたときの状態を示す断面図。
【図１３】（ａ）〜（ｄ）は、変更例のアンバランス測定装置の要部を示す平面図。
【図１４】（ａ）、（ｂ）は、変更例のアンバランス測定装置の要部を示す平面図。
【図１５】（ａ）、（ｂ）は、変更例のアンバランス測定装置の要部を示す平面図。
【図１６】変更例のアンバランス測定装置の要部を示す平面図。
【図１７】変更例のアンバランス測定装置の要部を示す平面図。
【発明を実施するための形態】
【００１２】
（第１実施形態）
以下、アンバランス測定装置の第１実施形態を図面に従って説明する。
図１及び図４に示すように、アンバランス測定装置１１は、円柱状の測定部１２と、測定部１２上に固定されて測定物１３が載置される円板状の測定台１４と、測定台１４上の中央部に立設された円筒状のポスト１５とを備えている。測定台１４上には、中央部に挿入部の一例としての貫通孔１３ａが形成された測定物１３が載置可能になっている。ポスト１５は、測定台１４上に載置される測定物１３の貫通孔１３ａに挿入されて測定物１３の位置決めを行う。測定部１２は、測定台１４上に載置された測定物１３の重量に基づいて測定物１３のアンバランス量を測定する。
【００１３】
図２及び図３に示すように、ポスト１５は、弾性変形可能な金属材料によって構成されている。ポスト１５には、ポスト１５の軸線方向に延びる複数（本例では４つ）のスリット１６がポスト１５の周方向に等間隔となるように形成されている。各スリット１６は、ポスト１５の軸線方向の長さ全体にわたって延びている。したがって、本実施形態のポスト１５は、周方向において４つの分割ポスト１５ａに分割されている。
【００１４】
ポスト１５における軸線方向の中央部から上端（先端）にかけての内径は、上端に向かうほどに大きくなっている。すなわち、ポスト１５の内周面における軸線方向の中央部から上端にかけての部位は、上端に向かうほどポスト１５の径方向の外側に位置するように傾斜するテーパー面１７になっている。ポスト１５における軸線方向の中央部から下端（基端）にかけての部分の内径は一定になっている。ポスト１５の中心軸線は、測定部１２の中心軸線Ｂと一致している。
【００１５】
図４に示すように、測定物１３は、貫通孔１３ａが円形の場合、貫通孔１３ａの中心軸線が測定物１３の中心軸線Ａと一致する。測定物１３は、貫通孔１３ａが円形以外の形状の場合、貫通孔１３ａの形状の最小二乗円の中心軸線が測定物１３の中心軸線Ａと一致する。最小二乗円は、公知の最小二乗法によって求められる。本実施形態の測定物１３は、貫通孔１３ａが円形である円環状をなしているため、貫通孔１３ａの形状である円と当該円の最小二乗円とが一致する。なお、貫通孔１３ａの形状（外形）は、ポスト１５の断面形状（外形）と相似である。
【００１６】
次に、アンバランス測定装置１１によって測定物１３のアンバランス量を測定するときの作用について説明する。
さて、アンバランス測定装置１１によって測定物１３のアンバランス量を測定する場合には、まず、図４に示すように、貫通孔１３ａにポスト１５が挿入されるように、測定物１３を測定台１４上に載置する。このとき、貫通孔１３ａにポスト１５が挿入されることによって測定物１３の位置決めがある程度なされるが、ポスト１５の外周面と測定物１３の内周面との間には不均一に隙間ができるため、測定物１３の中心軸線Ａ（貫通孔１３ａの中心軸線）と、測定部１２の中心軸線Ｂ（ポスト１５の中心軸線）とが水平方向でずれる。
【００１７】
続いて、図５に示すように、棒１８の先端に球体１９が設けられた金属製の治具２０を用意し、治具２０の棒１８を持って球体１９をポスト１５の上端開口からポスト１５内の下端に向かって真っ直ぐに挿入する。このとき、球体１９は、テーパー面１７によって案内される。この場合、球体１９の径は、ポスト１５の上端開口の径（上端の内径）よりも小さく且つポスト１５における軸線方向の中央部の内径よりも大きくなるように設定されている。加えて、ポスト１５には、周方向に等間隔で４つのスリット１６が形成されている。このため、ポスト１５（４つの分割ポスト１５ａ）は、径方向の外側に均等に開くように弾性変形（変位）される。
【００１８】
これにより、ポスト１５が貫通孔１３ａの内側から測定物１３を均等に押圧するため、測定部１２の中心軸線Ｂ（ポスト１５の中心軸線）に測定物１３の中心軸線Ａ（貫通孔１３ａの中心軸線）が重なるように、測定物１３が変位される。すなわち、測定部１２の中心軸線Ｂ（ポスト１５の中心軸線）と測定物１３の中心軸線Ａ（貫通孔１３ａの中心軸線）とが一致する。
【００１９】
続いて、ポスト１５内から球体１９（治具２０）を引き抜くと、図６に示すように、ポスト１５（４つの分割ポスト１５ａ）は、自らの弾性復元力によって弾性変形前の元の形状に戻った状態になる。このとき、ポスト１５の外周面は、貫通孔１３ａの内周面に一切接触していない。この状態で測定部１２によって測定物１３のアンバランス量を測定物１３の重量に基づいて測定する。
【００２０】
ここで、アンバランス測定装置１１は、測定台１４上に載置された測定物１３のアンバランス量を測定部１２によって測定する場合、測定部１２の中心軸線Ｂ（ポスト１５の中心軸線）と測定物１３の中心軸線Ａ（貫通孔１３ａの中心軸線）とが一致するときが測定部１２による測定物１３のアンバランス量の測定精度が最も高くなる。加えて、上述のように、アンバランス測定装置１１は、治具２０を用いることで、測定台１４上の測定物１３の中心軸線Ａ（貫通孔１３ａの中心軸線）と測定部１２の中心軸線Ｂ（ポスト１５の中心軸線）とを迅速且つ容易に一致させることができる。したがって、アンバランス測定装置１１は、測定物１３のアンバランス量を効率よく高い精度で測定できる。
【００２１】
以上詳述した第１実施形態によれば、次のような効果が発揮される。
（１−１）アンバランス測定装置１１において、ポスト１５の中心軸線は、測定部１２の中心軸線Ｂと一致しており、ポスト１５には、複数のスリット１６が周方向に間隔を置いて形成され、貫通孔１３ａの形状の最小二乗円の中心軸線は、測定物１３の中心軸線Ａと一致しており、ポスト１５は、径方向の外側に変位可能に構成されている。この構成によれば、測定物１３の貫通孔１３ａにポスト１５を挿入した状態でポスト１５を径方向の外側に変位させると、ポスト１５が貫通孔１３ａの内側から測定物１３を押圧するため、ポスト１５の中心軸線（測定部の中心軸線Ｂ）と貫通孔１３ａの中心軸線（測定物１３の中心軸線Ａ）とのずれを低減できる。このため、測定物１３のアンバランス量の測定精度の低下を抑制できる。
【００２２】
（１−２）アンバランス測定装置１１において、ポスト１５には、複数のスリット１６が周方向に等間隔となるように形成されている。この構成によれば、測定物１３の貫通孔１３ａにポスト１５を挿入した状態で、ポスト１５を径方向の外側に均等に変位させると、ポスト１５が貫通孔１３ａの内側から測定物１３を均等に押圧する。このため、ポスト１５の中心軸線（測定部の中心軸線Ｂ）と貫通孔１３ａの中心軸線（測定物の中心軸線Ａ）とを容易に一致させることができる。このため、測定物１３のアンバランス量の測定精度を向上できる。
【００２３】
（１−３）アンバランス測定装置１１において、ポスト１５は、弾性変形可能な材料によって構成されている。この構成によれば、測定物１３の貫通孔１３ａにポスト１５を挿入した状態でポスト１５内に治具２０の球体１９を挿入すると、ポスト１５が径方向の外側に均等に弾性変形する。これにより、ポスト１５が貫通孔１３ａの内側から測定物１３を均等に押圧するため、ポスト１５の中心軸線（測定部１２の中心軸線Ｂ）と貫通孔１３ａの中心軸線（測定物１３の中心軸線Ａ）とを容易に一致させることができる。その後は、ポスト１５内から治具２０の球体１９を引き抜くことで、ポスト１５を自らの弾性復元力によって弾性変形前の元の形状に戻すことができる。
【００２４】
（第２実施形態）
次に、アンバランス測定装置の第２実施形態を図面に従って説明する。
図７及び図８に示すように、アンバランス測定装置３１は、水平な床面Ｆ上に配置された円柱状の測定部３２と、測定部３２上に固定されて測定物３３が載置される円板状の測定台３４と、円筒状のポスト３５を有したポストユニット３６とを備えている。ポストユニット３６は、ポスト３５と、床面Ｆ上における測定部３２を挟んだ両側に立設された一対の直方体状をなす支持台３７と、一対の支持台３７に支持された状態でポスト３５を支持する一対の帯状をなす支持板３８とを備えている。
【００２５】
測定台３４の上面３４ａには、測定台３４の中心軸線と直交し且つ一対の支持台３７が対向する方向に真っ直ぐに延びる溝３９が形成されている。溝３９の長手方向の両端は、測定台３４の周面に開口している。一対の支持台３７の上面３７ａは、測定台３４の溝３９の底面３９ａよりも若干高い位置にある。
【００２６】
ポスト３５は、中心軸線が鉛直方向に延びるように配置されている。ポスト３５の中心軸線は、測定台３４の中心軸線及び測定部３２の中心軸線Ｄと一致している。ポスト３５は、下端部が測定台３４の溝３９内に配置され且つ下端部以外の部分が測定台３４の上面３４ａよりも上側に突出している。
【００２７】
ポスト３５におけるポスト３５の中心軸線を溝３９の幅方向に挟んだ両側には、ポスト３５における軸線方向の長さ全体にわたって延びる２つのスリット４０が対をなすように形成されている。すなわち、ポスト３５には、周方向に等間隔で２つのスリット４０が形成されている。換言すれば、ポスト３５は、２つのスリット４０において半円筒状をなす２つの分割ポスト４１に二等分割されている。
【００２８】
２つの分割ポスト４１の外周面における下端部には２つの支持板３８の一端側がそれぞれ連結され、２つの支持板３８の他端側は２つの支持台３７にそれぞれ摺動可能に支持されている。各支持板３８は、下面３８ｂが溝３９の底面３９ａよりも高く、上面３８ａが測定台３４の上面３４ａよりも低く、幅が溝３９の幅よりも狭くなっている。そして、各支持板３８は、溝３９の底面３９ａにも側面３９ｂにも接触しないように配置されている。また、ポスト３５は、外径が溝３９の幅よりも小さくなっており、溝３９の底面３９ａにも側面３９ｂにも接触しないように配置されている。
【００２９】
２つの支持板３８は、それぞれアクチュエータ（図示略）に接続されており、当該アクチュエータによって同期して駆動される。すなわち、２つの支持板３８は、図７及び図９に示すように、互いに接近したり離れたりするようにそれぞれアクチュエータ（図示略）によって溝３９に沿うように移動されるようになっている。したがって、２つの分割ポスト４１は、アクチュエータ（図示略）の駆動により、２つの支持板３８を介して互いに接触して円筒状のポスト３５を形成する位置（図７に示す位置）と、互いに離れる位置（例えば、図９に示す位置）との間で溝３９に沿うように均等に水平に移動される。
【００３０】
図１０に示すように、測定台３４の上面３４ａには、中央部に挿入部の一例としての凹部４２が形成された測定物３３が載置可能になっている。ポスト３５は、測定台３４の上面３４ａに載置される測定物３３の凹部４２に挿入されて測定物３３の位置決めを行う。測定部３２は、測定台３４の上面３４ａに載置された測定物３３の重量に基づいて測定物３３のアンバランス量を測定する。
【００３１】
測定物３３は、凹部４２が円形の場合、凹部４２の中心軸線が測定物３３の中心軸線Ｃと一致する。測定物３３は、凹部４２が円形以外の形状の場合、凹部４２の形状の最小二乗円の中心軸線が測定物３３の中心軸線Ｃと一致する。最小二乗円は、公知の最小二乗法によって求められる。本実施形態の測定物３３は、凹部４２が円形である円柱状をなしているため、凹部４２の形状である円と当該円の最小二乗円とが一致する。なお、凹部４２の形状（外形）は、ポスト３５の断面形状（外形）と相似である。
【００３２】
次に、アンバランス測定装置３１によって測定物３３のアンバランス量を測定するときの作用について説明する。
さて、アンバランス測定装置３１によって測定物３３のアンバランス量を測定する場合には、まず、図１０に示すように、凹部４２にポスト３５が挿入されるように、測定物３３を測定台３４の上面３４ａに載置する。このとき、凹部４２にポスト３５が挿入されることによって測定物３３の位置決めがある程度なされるが、ポスト３５の外周面と測定物３３の凹部４２の内周面との間には不均一に隙間ができるため、測定物３３の中心軸線Ｃ（凹部４２の中心軸線）と、測定部３２の中心軸線Ｄ（ポスト３５の中心軸線）とが水平方向でずれる。
【００３３】
続いて、図１１に示すように、アクチュエータ（図示略）の駆動により、ポスト３５を構成する２つの分割ポスト４１を互いに反対の方向となるように同期して均等に離れるように水平に移動させる。すると、２つの分割ポスト４１が凹部４２の内側から測定物３３を互いに反対となる方向に均等に押圧するため、測定部３２の中心軸線Ｄ（ポスト３５の中心軸線）に測定物３３の中心軸線Ｃ（凹部４２の中心軸線）が重なるように、測定物３３が変位される。すなわち、測定部３２の中心軸線Ｄ（ポスト３５の中心軸線）と測定物３３の中心軸線Ｃ（凹部４２の中心軸線）とが一致する。
【００３４】
続いて、図１２に示すように、アクチュエータ（図示略）の駆動により、２つの分割ポスト４１を、２つの分割ポスト４１がポスト３５を形成する互いに接触する位置に移動させる。このとき、２つの分割ポスト４１（ポスト３５）の外周面は、凹部４２の内周面に一切接触していない。この状態で測定部３２によって測定物３３のアンバランス量を測定物３３の重量に基づいて測定する。これにより、測定物３３のアンバランス量が精度よく測定される。
【００３５】
以上詳述した第２実施形態によれば、上記（１−１）及び（１−２）と同様の効果に加えて次のような効果が発揮される。
（２−１）アンバランス測定装置３１において、ポスト３５を構成する２つの分割ポスト４１は、測定物３３の凹部４２に対して下側から挿入され、且つアクチュエータ（図示略）によって互いに同期して水平方向に均等に移動可能な構成になっている。このため、上記第１実施形態で用いた治具２０を不要とすることができる。加えて、治具２０を使用しないので、挿入部として貫通しない穴である凹部４２が形成されている測定物３３であっても問題なくアンバランス量の測定を行うことができる。因みに、上記第１実施形態のアンバランス測定装置１１では、凹部４２が形成された測定物３３の中心軸線Ｃと測定部１２の中心軸線Ｂとを治具２０によって一致させることができないので、測定物３３のアンバランス量の測定精度が低下してしまう。
【００３６】
（変更例）
なお、上記各実施形態は次のように変更してもよい。
・第１実施形態のアンバランス測定装置１１によってアンバランス量が測定される測定物１３の貫通孔１３ａの形状は、真円形に限らず多角形や楕円形であってもよい。例えば、貫通孔１３ａの形状は、図１３（ａ）に示すような三角形であってもよいし、図１３（ｂ）に示すような四角形であってもよいし、図１３（ｃ）に示すような五角形であってもよいし、図１３（ｄ）に示すような六角形であってもよい。なお、貫通孔１３ａの形状を多角形にする場合には、貫通孔１３ａの形状を正多角形にすることが好ましい。
【００３７】
・第２実施形態のアンバランス測定装置３１によってアンバランス量が測定される測定物３３の凹部４２の形状は、真円形に限らず多角形や楕円形であってもよい。この場合、測定部３２の中心軸線Ｄ（ポスト３５の中心軸線）と測定物３３の中心軸線Ｃ（凹部４２の中心軸線）との一致精度を高めるためには、凹部４２と２つの分割ポスト４１との接点Ｓがなるべく多くなるように測定物３３を配置することが有効である。例えば、凹部４２の形状が三角形である場合、図１４（ａ）に示すように２つの分割ポスト４１の移動方向Ｍに対して接点Ｓが２箇所になるように測定物３３を配置するよりも、図１４（ｂ）に示すように２つの分割ポスト４１の移動方向Ｍに対して接点Ｓが３箇所になるように測定物３３を配置する方が好ましい。さらに例えば、凹部４２の形状が四角形である場合、図１５（ａ）に示すように２つの分割ポスト４１の移動方向Ｍに対して接点Ｓが２箇所になるように測定物３３を配置するよりも、図１５（ｂ）に示すように２つの分割ポスト４１の移動方向Ｍに対して接点Ｓが３箇所になるように測定物３３を配置する方が好ましい。
【００３８】
・第１及び第２実施形態において、測定物１３の貫通孔１３ａの形状及び測定物３３の凹部４２の形状と、ポスト１５の断面形状及びポスト３５の断面形状と、を円形状以外の形状でそれぞれ相似にしてもよい。例えば、図１６に示すように、測定物１３の貫通孔１３ａの形状及び測定物３３の凹部４２の形状、及びポスト１５，３５の断面形状を三角形にしてもよいし、図１７に示すように、測定物１３の貫通孔１３ａの形状及び測定物３３の凹部４２の形状、及びポスト１５，３５の断面形状を四角形にしてもよい。この場合、ポスト１５，３５の周方向に等間隔となるように複数（図１６の場合は３つ、図１７の場合は４つ）のスリット１６，４０が形成されており、ポスト１５，３５を構成する分割ポスト１５ａ，４１が外側に向かって均等に変位可能になっている。
【００３９】
・第１実施形態において、ポスト１５に形成された４つのスリット１６は、必ずしもポスト１５の周方向に等間隔となるように配置する必要はない。
・第１実施形態において、ポスト１５に形成された各スリット１６は、必ずしもポスト１５の軸線方向の長さ全体にわたって延びている必要はない。例えば、各スリット１６は、ポスト１５の軸線方向における中央部から上端にかけて延びるように形成し、ポスト１５の軸線方向における中央部から下端までの領域に形成しないようにしてもよい。
【００４０】
・第１実施形態において、ポスト１５のテーパー面１７は省略してもよい。すなわち、ポスト１５は、全体にわたって内径が一定であってもよい。
・第１実施形態において、ポスト１５の下端（基端）部を部分的に細くしてもよい。このようにすれば、ポスト１５内に治具２０を挿入したときにポスト１５を弾性変形され易くすることができる。
【００４１】
・第１及び第２実施形態において、ポスト１５，３５に形成されるスリット１６，４０の数は、２つ以上であれば適宜変更してもよい。
・第２実施形態において、ポスト３５を構成する２つの分割ポスト４１は、手動で互いに同期して水平方向に均等に移動可能な構成にしてもよい。例えば、ラック及びピニオンなどを有したギア機構を用いて、ユーザーがハンドルを回すと当該ギア機構によって２つの分割ポスト４１が移動するように構成してもよい。
【符号の説明】
【００４２】
１１，３１…アンバランス測定装置、１２，３２…測定部、１３，３３…測定物、１３ａ…挿入部の一例としての貫通孔、１４，３４…測定台、１５，３５…ポスト、１６，４０…スリット、４２…挿入部の一例としての凹部、Ａ〜Ｄ…中心軸線。
【図１】
2020134437.tif 000003
【図２】
2020134437.tif 000004
【図３】
2020134437.tif 000005
【図４】
2020134437.tif 000006
【図５】
2020134437.tif 000007
【図６】
2020134437.tif 000008
【図７】
2020134437.tif 000009
【図８】
2020134437.tif 000010
【図９】
2020134437.tif 000011
【図１０】
2020134437.tif 000012
【図１１】
2020134437.tif 000013
【図１２】
2020134437.tif 000014
【図１３】
2020134437.tif 000015
【図１４】
2020134437.tif 000016
【図１５】
2020134437.tif 000017
【図１６】
2020134437.tif 000018
【図１７】
2020134437.tif 000019